(57)【要約】      （修正有）【課題】通常の演奏方法で、極めて短い時間差をおいて１本の弦を２回打弦できる簡単な構造のギター用ピックを提供する。【解決手段】略三角形のフラットピック１０の一角に、前記一角の先端から把持部１５まで伸びた細長い切断溝１６の左右に形成された一対の山型の特殊演奏用打弦部１３，１４を備えたギター用ピックであって、前記一対の山型の特殊演奏用打弦部１３，１４はその頂点の間隔がピック面に対して垂直方向で打弦間隔ｄとなるように左右に折り曲げられている。【選択図】図１
2017146477.tif 000002
【特許請求の範囲】
【請求項１】
少なくとも一角に一対の山型の特殊演奏用打弦部を備えた略三角形のフラットピックであって、前記一対の山型の特殊演奏用打弦部は前記一角の頂点から把持部に伸びた細長い切断溝の左右の山型部分であり、その頂点の間隔が打弦間隔となるように左右に折り曲げられていることを特徴とするギター用ピック。
【請求項２】
第１の角に第１の一対の山型の特殊演奏用打弦部を、第２の角に第２の一対の山型の特殊演奏用打弦部を、第３の角に通常演奏用打弦部を夫々備えた略三角形のフラットピックであって、
前記第１の一対の山型の特殊演奏用打弦部は前記第１の角の頂点から把持部に伸びた第１の細長い切断溝の左右の山型部分であり、その頂点の間隔が第１の打弦間隔となるように左右に折り曲げられていること、及び、
前記第２の一対の山型の特殊演奏用打弦部は前記第２の角の頂点から把持部に伸びた前記第１の細長い切断溝と長さが異なる第２の細長い切断溝の左右の山型部分であり、その頂点の間隔が第２の打弦間隔となるように左右に折り曲げられていることを特徴とするギター用ピック。
【請求項３】
前記第１の打弦間隔と前記第２の打弦間隔は同じであることを特徴とする請求項２に記載のギター用ピック。
【請求項４】
前記第１の打弦間隔と前記第２の打弦間隔は異なることを特徴とする請求項２に記載のギター用ピック。
【発明の詳細な説明】
【技術分野】
【０００１】
本発明は、ギターの演奏で装飾音を得ることができるギター用ピックに関する。
【背景技術】
【０００２】
フラットピックと呼ばれるギター用ピックは、把持部と打弦部を備えた１枚板の演奏用道具である。ギター奏者は、フラットピックの把持部を親指と人差し指で把持して、その打弦部を弦に当てて弾いて音を奏で、曲を演奏する。
【０００３】
フラットピックの素材はセルロイドなどのプラスティックが主に使われている。弦を打弦する打弦部は、把持部から頂点に向かって徐々に細くなる略三角形の形状をしており、厚さは０．５ｍｍ程度のもの、０．８ｍｍ程度のもの、１．０ｍｍ程度の３種類が多く市販されている。
【０００４】
フラットピックを使って６弦ギターを演奏するとき、高度な演奏テクニックを用いれば装飾音を出すことができるが、初心者には極めて難しい。そこで、初心者でも装飾音を出すことができるような構造のフラットピック、即ち、極めて短時間の時間差をおいて１本の弦を２回打弦できるギター用ピックが特許文献１と特許文献２に記載されている。
【０００５】
即ち、特許文献１には、図３に示す如く、二角に通常演奏用打弦部、一角に一対の山型の特殊演奏用打弦部４３と４４、及び把持部備えた略二等辺三角形のフラットピック４０であって、山型の特殊演奏用打弦部４３と４４は、その頂点がピック面上で数ｍｍ間隔ａとなるように形成されたことを特徴とするフラットピックが記載されている。
【０００６】
特許文献１に記載のフラットピック４０を用いてギター奏者が通常の方法で演奏すると、２つの特殊演奏用打弦部４３と４４が１本の弦を同時に打弦するので、音量は倍になる。また、演奏者がフラットピック４０を少し傾けて演奏すると、２つの特殊演奏用打弦部４３と４４が１本の弦を極めて短い時間差で打弦するので、瞬間的に２つの音が発せられることになる。
【０００７】
特許文献１に記載のフラットピック４０を用いてギターを演奏すれば、２つの特殊演奏用打弦部４３と４４が１本の弦を同時に打弦するにしても、或いは極めて短い時間差をおいて打弦するにしても、ボリューム感のある装飾音を出すことができる。しかし、この従来のフラットピック４０を用いて所望の装飾音を出すことは、初心者には結構難しい。
【０００８】
特許文献２にも、１本の弦に極めて短時間の時間差をおいて２回打弦できるギター用ピックが記載されている。即ち、この従来のギター用ピックは、図４に示す如く、硬質ゴム板７０を間に挟んで三角形のフラットピック５０と６０を２枚重ねとした三層構造の従特殊演奏用ピックであって、三角形の頂点がピック面に対して垂直方向で数ｍｍの打弦間隔ｂとなるようにして前記２つの打弦部が配置されたことを特徴とするものである。
【０００９】
ギター奏者が特許文献２に記載の三層構造のピックを用いて、通常の方法で演奏すると、下層のフラットピックの打弦部、硬質ゴムの接弦部、上層のフラットピックの打弦部の順に１本の弦を打弦することになる。すると、下層のフラットピックによる打弦により最初の基音が鳴らされ、その直後に硬質ゴムが弦に触れるから瞬間的に２倍音の人工ハーモニクス音が発せら、その直後に上層のフラットピックによる打弦により２番目の基音が発せられる。極めて短い時間差をおいて３つの音が１本の弦から瞬間的に発せられるのである。このため、１本の弦から１２弦ギターとは異なるが、豊かできらびやかな音色を得ることができる。
【００１０】
特許文献２に記載の三層構造のピックは、上述の如く、極めて短い時間差をおいて３つの音が１本の弦から瞬間的に発せられ、豊かできらびやかな音色を得ることができるものである。しかしながら、この三層構造のピックは、構造が複雑であり、製造コストが高くなるという問題がある。また、１枚板のフラットピックに比べると、厚みも重さもは３倍以上となるという問題もある。
【特許文献１】特開２００３−１６７５７３号公報
【特許文献２】特許第５１８９６９９号公報
【発明の開示】
【発明が解決しようとする課題】
【００１１】
本発明の課題は、通常の演奏方法で、極めて短い時間差をおいて１本の弦を２回打弦できる簡単な構造のギター用ピックを提供することである。
【課題を解決するための手段】
【００１２】
上記課題を解決するギター用ピックは、その一角に一対の山型の特殊演奏用打弦部を備えた略三角形のフラットピックであって、前記一対の山型の特殊演奏用打弦部はその頂点の間隔が打弦間隔となるように左右に折り曲げられていることを特徴とするものである。
【発明の効果】
【００１３】
本発明により、通常の演奏方法で、１本の弦を極めて短い時間差をおいて２回打弦できるギター用ピックであって、構造が簡単で製造コストも安く、しかも把持し易いギター用ピッが提供された。
【発明を実施するための最良の形態】
【００１４】
本発明は、略三角形のフラットピックの一角に前記一角の先端から把持部まで伸びた細長い切断溝の左右に形成された一対の山型の特殊演奏用打弦部を備えたギター用ピックであって、前記一対の山型の特殊演奏用打弦部はその頂点の間隔がピック面に対して垂直方向で打弦間隔となるように左右に折り曲げられていることを特徴とするものである。
【実施例１】
【００１５】
本発明の実施例１は、その平面図が図１（Ａ）に示す如く一対の山型の特殊演奏用打弦部を一角にだけ設けた略三角形のフラットピックであって、且つ、その側面図が図１（Ｂ）に示す如く音叉状となるフラットピックである。
【００１６】
即ち、本発明の実施例１は、略三角形の二角に通常演奏用打弦部１１と１２が形成され、残りの一角に一対の山型の特殊演奏用打弦部１３と１４が形成された略三角形のフラットピック１０である。通常演奏用打弦部１１と１２は、通常のフラットピックの打弦部と同じ構造である。把持部１５はフラットピック１０の中央部分であって、その中心部には円形状穴１５ａが形成されている。
【００１７】
一対の山型の特殊演奏用打弦部１３と１４は、前記一角の頂点から把持部１５まで伸びた細長い切断溝１６の中心線に対して左右対称である。特殊演奏用打弦部１３と１４の先端は、図１（Ａ）の平面図に示す如く、ピック面と平行な面上で離間している。離間間隔ｃは、フラットピック１０の一角に左右対称の一対の山型の特殊演奏用打弦部１３と１４を備えるために形成された細長い溝１６の解放端側の幅であって、略二等辺三角形の細長い溝ではその底辺の間隔である。
【００１８】
また、山型の特殊演奏用打弦部１３と１４の先端は、フラットピック１０の平面即ちピック面に対して垂直方向でも離間している。山型の特殊演奏用打弦部１３と１４の先端のピック面に対して垂直方向での離間間隔は、打弦の時間間隔を決める一要素の打弦間隔ｄである。
【００１９】
打弦間隔ｄは、山型の特殊演奏用打弦部１３と１４を長手方向の中間からピック面に対して垂直方向に左右に夫々折り曲げることによって形成される。折り曲げの角度は、山型の特殊演奏用打弦部の長さと打弦間隔に基づいて定められるものである。折り曲げの方向は、右手用のピックでは、図１（Ｂ）の左側面図に示す如く、左側の山型の特殊演奏用打弦部１３は左方向に、右側の山型の特殊演奏用打弦部１４は右方向となる。
【００２０】
一対の山型の特殊演奏用打弦部１３と１４を上述の如く左右に折り曲げた実施例１のフラットピック１０は、図１（Ｂ）に示す如く音叉状の形状を呈し、特殊演奏用打弦部１３と１４の先端部分はピック面と平行になる。しかしながら、一対の山型の特殊演奏用打弦部１３と１４の先端の間隔を打弦間隔ｄとなるようにする折り曲げ方は、上述の折り曲げ方に限定するものではない。
【００２１】
要するに、実施例１の右手用フラットピック１０は、略三角形の一角に一対の山型の特殊演奏用打弦部１３と１４を備え、その頂点の間隔ｄが打弦間隔となるように一対の山型の特殊演奏用打弦部１３と１４を左右に折り曲げ加工して形成したことを特徴とするギター用ピックである。前記折り曲げ加工は、プラスティック素材の場合は加熱しながら折り曲げる加工である。従って、前記一対の山型の特殊演奏用打弦部１３と１４を中間部から左右に折り曲げるだけで、所望の打弦間隔を簡単に実現できる。
【００２２】
以上詳細に説明した通り、実施例１の右手用フラットピック１０は構造が簡単で製造コストも安く、しかも把持し易いギター用ピックである。実施例１の右手用フラットピック１０を用いてギターを弾くと、先ず特殊演奏用打弦部１３が弦を打弦し、次に極めて短い時間差をおいて特殊演奏用打弦部１４が同じ弦を打弦するので、ダイナミックな音を奏でることができる。また、このギター用ピック１０を用いて６弦ギターを弾くと、初心者でも、１２弦ギターに近い豊かできらびやかな音色を得ることができる。
【００２３】
ところで、実施例１において、フラットピック１０の把持部１５の中心部に形成されている円形状穴１５ａは、一対の山型の特殊演奏用打弦部１３と１４を形成するときの加工のし易さ、及び演奏中の破断防止に役立つものである。しかしながら、フラットピック１０の素材によっては、円形状穴１５ａは形成しなくてもよい。
【実施例２】
【００２４】
本発明の実施例２は、二角に硬さの異なる特殊演奏用打弦部を夫々設けた略三角形のフラットピックであって、その平面図は図２に示す如くである。なお、実施例２の側面図は、実施例１の側面図である図１（Ｂ）と実質的に同じであるから図示は省略してある。
【００２５】
即ち、本発明の実施例２は、第１の角に第１の一対の山型の特殊演奏用打弦部２３と２４を、第２の角に第２の一対の山型の特殊演奏用打弦部２７と２８を、第３の角に通常演奏用打弦部２１を夫々備えた略三角形のフラットピック２０である。
【００２６】
第１の一対の山型の特殊演奏用打弦部２３と２４は、前記第１の角の頂点から把持部に伸びた第１の細長い切断溝２６の左右の山型部分であり、その頂点の間隔が第１の打弦間隔となるように左右に折り曲げられている。第１の一対の山型の特殊演奏用打弦部２３と２４の形状は、実施例１の一対の山型の特殊演奏用打弦部１３と１４と同様である。なお、間隔ｅは第１の細長い切断溝２６の解放端の間隔である。
【００２７】
第２の一対の山型の特殊演奏用打弦部２７と２８は、前記第２の角の頂点から把持部に伸びた第２の細長い切断溝２９の左右の山型部分であり、その頂点の間隔が第２の打弦間隔となるように左右に折り曲げられている。第２の一対の山型の特殊演奏用打弦部２７と２８の形状は、実施例１の一対の山型の特殊演奏用打弦部１３と１４と同様である。なお、間隔ｆは第２の細長い切断溝２６の解放端の間隔である。なお、前記第１の打弦間隔と前記第２の打弦間隔は同じにしてあるが、異なるようにしてもよいことは勿論である。
【００２８】
第２の細長い切断溝２９は、第１の細長い切断溝２６よりは短くしてある。このため、第２の一対の山型の特殊演奏用打弦部２７と２８は、第１の一対の山型の特殊演奏用打弦部２３と２４よりは硬い打弦部となっている。
【００２９】
以上詳細に説明した通り、本発明の実施例２は、二角に硬さの異なる特殊演奏用打弦部を夫々設け、残りの一角に通常演奏用打弦部２１を設けた略三角形のフラットピックである。このため、実施例２のギター用ピックを使うことによって、通常演奏は勿論のこと、２種類の特殊演奏を楽しむことができる。
【図面の簡単な説明】
【００３０】
【図１】実施例１の平面図（Ａ）と左側面図（Ｂ）である。
【図２】実施例２の平面図である。
【図３】同一平面に配置された一対の山型の特殊打弦部を備えた従来のギター用ピックの平面図（Ａ）と左側面図（Ｂ）である。
【図４】同一軸に配置された２つの特殊打弦部を備えた従来のギター用ピックの平面図（Ａ）と側面図（Ｂ）である。
【符号の説明】
【００３１】
１０    フラットピック
１１    通常演奏用打弦部
１２    通常演奏用打弦部
１３    山型の特殊演奏用打弦部
１４    山型の特殊演奏用打弦部
１５    把持部
１５ａ  円形状穴
１６    細長い切断溝
２０    フラットピック
２１    通常演奏用打弦部
２３    第１の山型の特殊演奏用打弦部
２４    第１の山型の特殊演奏用打弦部
２５    把持部
２６    第１の細長い切断溝
２７    第２の山型の特殊演奏用打弦部
２８    第２の山型の特殊演奏用打弦部
２９    第２の細長い切断溝
４０    フラットピック
４３    山型の特殊演奏用打弦部
４４    山型の特殊演奏用打弦部
５０    フラットピック
６０    フラットピック
７０    硬質ゴム板
【図１】
2017146477.tif 000003
【図２】
2017146477.tif 000004
【図３】
2017146477.tif 000005
【図４】
2017146477.tif 000006